(57)【要約】【課題】  扉ロック装置を簡単に正確に取り付けることができる包装用台紙を提供すること。【解決手段】  記包装用台紙の外周部を構成する枠部と、前記枠部の内方に位置し折罫線と切込線とによって囲まれ該切込線に切り込みを入れた状態で該枠部に対して前記折罫線にて折曲げ可能なガイド部とを備え、前記枠部の内方部分は、前記一のブロック及び前記他のブロックの係合部同士の係合させたブロック係合体の裏面を前記包装用台紙に対向させた状態で投影した大きさ・形状となっており、前記ガイド部は、前記切込線に切り込みを入れた状態で前記枠部に対して前記折罫線にて折曲した際に前記ブロック係合体の外周面に当接可能となっており、さらに、前記枠部には両開き式扉の扉同士の境界部に合致させて位置合わせをするための指標が設けられていることを特徴とする。【選択図】  図８
2006321550.tif 000002
【特許請求の範囲】
【請求項１】
一方の扉の表面に外付けされる一のブロックと他方の扉の表面に外付けされる他のブロックを備え前記一のブロック及び前記他のブロックの係合部同士の係合によって両開き式扉をロックする扉ロック装置の包装用台紙であって、前記包装用台紙の外周部を構成する枠部と、前記枠部の内方に位置し折罫線と切込線とによって囲まれ該切込線に切り込みを入れた状態で該枠部に対して前記折罫線にて折曲げ可能なガイド部とを備え、前記枠部の内方部分は、前記一のブロック及び前記他のブロックの係合部同士の係合させたブロック係合体の裏面を前記包装用台紙に対向させた状態で投影した大きさ・形状となっており、前記ガイド部は、前記切込線に切り込みを入れた状態で前記枠部に対して前記折罫線にて折曲した際に前記ブロック係合体の外周面に当接可能となっており、さらに、前記枠部には前記両開き式扉の扉同士の境界部に合致させて位置合わせをするための指標が設けられていることを特徴とする扉ロック装置の包装用台紙。
【請求項２】
収納ボックスの表面に外付けされる一のブロックと扉の表面に外付けされる他のブロックを備え前記一のブロック及び前記他のブロックの係合部同士の係合によって片開き式扉をロックする扉ロック装置の包装用台紙であって、前記包装用台紙の外周部を構成する枠部と、前記枠部の内方に位置し折罫線と切込線とによって囲まれ該切込線に切り込みを入れた状態で該枠部に対して前記折罫線にて折曲げ可能なガイド部とを備え、前記枠部の内方部分は、前記一のブロック及び前記他のブロックの係合部同士の係合させたブロック係合体の裏面を前記包装用台紙に対向させた状態で投影した大きさ・形状となっており、前記ガイド部は、前記切込線に切り込みを入れた状態で前記枠部に対して前記折罫線にて折曲した際に前記ブロック係合体の外周面に当接可能となっており、さらに、前記枠部には前記収納ボックスと前記扉との境界部に合致させて位置合わせをするための指標が設けられていることを特徴とする扉ロック装置の包装用台紙。
【請求項３】
前記枠部の内方部分は、切込線にて切り込まれて切取り可能な余剰部を備えることを特徴とする請求項１又は２に記載の扉ロック装置の包装用台紙。
【発明の詳細な説明】
【技術分野】
【０００１】
本発明は、扉ロック装置を封入するために使用される包装用台紙の改良に係わるものである。
【背景技術】
【０００２】
両開き式扉又は片開き用扉の扉ロック装置は、扉や収納ボックスの表面に外付けされる２つのブロック備えている。そして、２つのブロックには係合部がそれぞれ設けられ、この２つのブロックの係合部が互いに係合することによって扉がロックされるようになっている。（例えば、特許文献１）。
【特許文献１】実公平７−４３４０３号公報
【発明の開示】
【発明が解決しようとする課題】
【０００３】
ところで、上記のような扉ロック装置を取り付けるにあたっては、２つのブロックを扉や収納ボックスの表面に精度良く取り付ける必要がある。ブロック同士を例えば傾いた状態で取り付けたり、その取付け位置がずれてしまった場合には扉ロック装置が正常に機能しなかったり、また、扉の開閉が困難となってしまうという問題がある。
【０００４】
本発明は、かかる問題点を解決するためになされたもので、扉ロック装置を簡単に正確に取り付けることができる包装用台紙を提供することを目的としている。
【課題を解決するための手段】
【０００５】
請求項１記載の扉ロック装置の包装用台紙は、一方の扉の表面に外付けされる一のブロックと他方の扉の表面に外付けされる他のブロックを備え前記一のブロック及び前記他のブロックの係合部同士の係合によって両開き式扉をロックする扉ロック装置の包装用台紙であって、前記包装用台紙の外周部を構成する枠部と、前記枠部の内方に位置し折罫線と切込線とによって囲まれ該切込線に切り込みを入れた状態で該枠部に対して前記折罫線にて折曲げ可能なガイド部とを備え、前記枠部の内方部分は、前記一のブロック及び前記他のブロックの係合部同士の係合させたブロック係合体の裏面を前記包装用台紙に対向させた状態で投影した大きさ・形状となっており、前記ガイド部は、前記切込線に切り込みを入れた状態で前記枠部に対して前記折罫線にて折曲した際に前記ブロック係合体の外周面に当接可能となっており、さらに、前記枠部には前記両開き式扉の扉同士の境界部に合致させて位置合わせをするための指標が設けられていることを特徴とする。ここに「境界部」とは扉の端を意味している。
【０００６】
請求項２記載の扉ロック装置の包装用台紙は、収納ボックスの表面に外付けされる一のブロックと扉の表面に外付けされる他のブロックを備え前記一のブロック及び前記他のブロックの係合部同士の係合によって片開き式扉をロックする扉ロック装置の包装用台紙であって、前記包装用台紙の外周部を構成する枠部と、前記枠部の内方に位置し折罫線と切込線とによって囲まれ該切込線に切り込みを入れた状態で該枠部に対して前記折罫線にて折曲げ可能なガイド部とを備え、前記枠部の内方部分は、前記一のブロック及び前記他のブロックの係合部同士の係合させたブロック係合体の裏面を前記包装用台紙に対向させた状態で投影した大きさ・形状となっており、前記ガイド部は、前記切込線に切り込みを入れた状態で前記枠部に対して前記折罫線にて折曲した際に前記ブロック係合体の外周面に当接可能となっており、さらに、前記枠部には前記収納ボックスと前記扉との境界部に合致させて位置合わせをするための指標が設けられていることを特徴とする。ここに「境界部」とは収納ボックスや扉の端を意味している。
【０００７】
請求項３記載の扉ロック装置の包装用台紙は、請求項１又は２に記載の扉ロック装置の包装用台紙において、前記枠部の内方部分は、切込線にて切り込まれて切取り可能な余剰部を備えることを特徴とする。
【発明の効果】
【０００８】
請求項１記載の発明によれば、指標を両開き式扉の両扉の境界部分に合致させた状態でブロック係合体を取り付ければ、正確に位置合わせを行うことができる。また、包装用台紙を取付プレートとしているので、位置合わせのための特別な部材を添付することが不要となり、省資源化にも適する。
【０００９】
請求項２記載の発明によれば、指標を収納ボックスと扉の境界部分に合致させた状態で係合体を取り付ければ、正確に位置合わせを行うことができる。また、包装用台紙を取付プレートとしているので、位置合わせのための特別な部材を添付することが不要となり、省資源化にも適する。
【００１０】
請求項３記載の発明によれば、余剰部を設けることによって、起立させたガイド部の高さを調整等することができ、取付作業を簡単にすることができる。
【発明を実施するための最良の形態】
【００１１】
以下に、本発明の包装用台紙を、図面を参照しながら説明する。
図１は本発明に係る包装用台紙を適用した包装（パッケージ）の下面図、図２はその包装用台紙の正面図（包装の内側面）、図３はその包装用台紙の平面図、図４は包装用台紙の背面図、図５は包装用台紙の右側面図、図６は余剰部を切り取った状態の正面図、図７はガイド部を立てた状態の斜視図、図８は立てたガイド部内に扉ロック装置を設置した状態の斜視図である。なお、包装用台紙の左側面は右側面と対称なので図示を省略する。
【００１２】
包装用台紙１００は紙製で矩形状に構成されている。包装用台紙１００には、例えば透明プラスチックカバー２００の端部を折曲状態として取り付けられる。これによって包装３００が構成される。この包装３００には扉ロック装置が封入される。
【００１３】
まず、扉ロック装置について簡単に説明すれば、扉ロック装置は２つのブロック１２，１３によって構成されている。２つのブロック１２，１３にはそれぞれ係合部が設けられている。そして、２つのブロック１２，１３の係合部同士は互いに係合して扉をロックするように構成されている。また、片方のブロック１２には操作子１０，１６ａが設けられている。
【００１４】
次に、包装用台紙１００について説明すれば、包装用台紙１００は、包装用台紙１００の外周部を構成する枠部１１０と、枠部１１０の内方に位置し折罫線（破線で図示）１２０と切込線（一点鎖線で図示）１４０とによって囲まれ該切込線１４０に切り込みを入れた状態で該枠部１１０に対して折罫線１２０にて折曲げ可能なガイド部１３０と、枠部１１０の内方に位置し切込線１４０によって囲まれ該切込線１４０に切り込みを入れることによって切り取られる余剰部１５０とを備えている。
【００１５】
この包装用台紙１００における枠部１１０の内方部分の大きさ・形状は、矩形状のブロック係合体（２つのブロック１２，１３の係合部同士を互いに係合させたもの）の裏面を包装用台紙１１０に対向させた状態で投影した大きさ・形状となっている。そして、この包装用台紙１００における枠部１１０の内方部分にブロック係合体の裏面を当接させた状態でブロック係合体が載置される。また、包装用台紙１００に取り付けられる透明プラスチックカバー２００は、包装用台紙１００に載置されたブロック係合体の裏面を除く面を取り囲むように、枠部１１０の内方部分に対応する部分だけが膨出した形状となっている。
【００１６】
ガイド部１３０は、切込線１４０に切り込みを入れた状態で該枠部１１０に対して折罫線１２０にて谷折りした際に、ブロック係合体の表裏面を除く面（外周面）に当接可能となっている。
【００１７】
余剰部１５０は、ガイド部１２０をブロック係合体の外周面に当接させた際に、ガイド部１２０がブロック係合体の表面から大きく突出するような場合には、ブロック係合体の取付作業を簡単にする意味で、設けておくことが好ましい。また、余剰部１５０は、ブロック係合体の外周に突起があったり、外周面が平面でない場合にも、同様な理由で、設けておくことが好ましい。本実施形態では、このような理由から包装用台紙１００に余剰部１５０を設けている。
【００１８】
また、包装用台紙１００の枠部１１０には位置決め用の指標１６０が設けられている。この指標１６０は、ブロック係合体を取り付ける際に使用される。この指標１６０は、特に限定はされないが、扉の自由端等に合わせることが容易となるように、直線であることが好ましい。
【００１９】
次に、この包装用台紙１００を使用しての扉ロック装置の取付方法を説明する。
まず、包装用台紙１００から透明プラスチックカバー２００を取り外してブロック係合体を取り出す。包装用台紙１００の切込線１２０に切り込みを入れて余剰部分１５０を切り離す（図６参照）。その後に、図７に示すように、ガイド部１３０を折罫線１２０にて谷折りして枠部１１０に対して起立させる。そして、図８に示すように、ガイド部１３０によって囲まれた領域にブロック係合体を入れる。この状態で位置決めをしてブロック係合体を所定箇所に取り付ける。この場合の取付けは、ブロック係合体の裏面に付設された粘着テープ又はマグネットによって行う。
【００２０】
この場合、扉ロック装置を両開き式扉に取り付けるときには、位置決め用の指標１６０を一方の扉の自由端に合致させる。一方、扉ロック装置を片開き式扉に取り付けるときには、指標１６０を収納ボックス本体の縁又は扉の自由端に合致させる。
【００２１】
次に、扉ロック装置の一例を詳細に説明する。この扉ロック装置は図８に示す扉ロック装置とほぼ同様のものである。
【００２２】
図９は本発明に係る扉ロック装置の内部機構を示した図であり、図９（Ａ）は第１組の係合部が互いに係合した状態を示した図、図９（Ｂ）はＡ−Ａ線断面図，図１０（Ａ）は第２組の係合部の互いの係合が解除された状態を示した図、図１０（Ｂ）はＢ−Ｂ線断面図，図１１（Ａ）は嵌挿部材が退避状態で保持された状態を示した図、図１１（Ｂ）はＣ−Ｃ線断面図、図１１（Ｃ）はＤ−Ｄ線断面図，図１２（Ａ）は扉が開かれた状態の図、図１２（Ｂ）はＥ−Ｅ線断面図、図１２（Ｃ）はＦ−Ｆ線断面図である。
【００２３】
この扉ロック装置は扁平な箱状ブロック１２，１３を備えている。このうちブロック１２は、両開き式の扉のうちの一方の扉１に取り付けられ、ブロック１３は他方の扉２に取り付けられる。この場合の取付けは、例えば、ブロック係合体の裏面に付設された粘着テープ又はマグネットによって行う。
【００２４】
ブロック１２には嵌挿部材（第１組の係合部）１４が設けられている。嵌挿部材１４は、回動板１４ａと、この回動板１４ａを支持する枠体１４ｂとを備えてなる。回動板１４ａは板状に構成されている。そして、この回動板１４ａは枠体１４ｂに取り付けられている。すなわち、回動板１４ａは、枠体１４ｂに支持される軸１４ｃを中心にブロック１２の表裏方向に回動可能となるように枠体１４ｂに取り付けられている。回動板１４ａの表面には、先端側に爪１４ｄが、また長手方向中央に操作部１０がそれぞれ設けられている。さらに、回動板１４ａの表面の基端側には、操作部１０の長手方向中央部に連接され且つ回動板１４ａの基端近くまで延びる突起１４ｅが設けられている。突起１４ｅの上辺は回動板１４ａの基端に向けて下り勾配を有する形状となっている。
ここで、爪１４ｄは、その頂部先端側に傾斜部を備える。また、回動板１４ａの裏面には長手方向中央に突片１４ｆが設けられている。そして、この突片１４ｆとブロック１２の固定部との間にはばね（押しばね）１９が設けられている。回動板１４ａひいては嵌挿
部材１４は、このばね１９によって、ブロック１２から突出する方向に付勢される。また、軸１４ｃを中心として回動する回動板１４ａは、このばね１９によって、ブロック１２の表面側に向けて付勢される。一方、枠体１４ｂの一壁には、矩形状の切欠き１４ｇ（第２組の係合部）と、半舌状の切欠き１４ｈとが形成されている。また、枠体１４ｂの他壁には三角状の切欠き１４ｉが形成されている。さらに、枠体１４ｂの表壁には、前記爪１４ｄを受容する長孔１４ｊと、前記操作部１０及び突起１４ｅを受容するＴ字状の孔１４ｋが形成されている。
また、ブロック１２の表壁には、操作部１０を突出させ、かつ操作部１０の操作を可能とする矩形状開口１２ａが形成されている。
一方、ブロック１３において、他方のブロック１２に対向する一端部には、嵌挿部材１４の進入口１３ａが形成されている。また、ブロック１３の係合部（第１組の係合部）１１は、ブロック１３の表壁に形成され、かつ、嵌挿部材１４がブロック１２から突出状態にあるときに爪１４ｄと嵌合可能な長孔１１ａを備えている。図８に示すブロック１３においてはブロック１３の表壁の上に装飾板が設けられ、長孔１１ａが露出しないように構成されている。
なお、本実施形態では、爪１４ｄを設け、これを長孔１１ａに嵌合させるようにしているが、嵌挿部材１４が長尺である場合のように、嵌挿部材１４のブロック１３への進入だけで扉をロックできる場合には、爪１４ｄや長孔１１ａは必ずしも設ける必要はない。
【００２５】
また、ブロック１２には操作阻止手段１５が設けられている。この操作阻止手段１５は操作部１０の操作を阻止するものである。操作阻止手段１５は、中間部がブロック１２に軸支持されたレバー１５ａの一方のアームに設けられた爪１５ｂを備えてなる。爪１５ｂは、ばね２０によって、嵌挿部材１４側に向けて付勢される。この爪１５ｂは、嵌挿部材１４がブロック１２から突出した状態にあるときに、図９に示すようにばね２０の付勢力によって嵌挿部材１４の枠体１４ｂの後端に引っかかり、嵌挿部材１４をブロック１２から突出した状態に保持する。その結果、操作部１０の操作が阻止される。また、嵌挿部材１４がブロック１２に没入した状態にあるときに、図１１に示すように枠体１４ｂの切欠き１４ｉに引っかかる。この場合の爪１５ｂと切欠き１４ｉとは、嵌挿部材１４がブロック１２に没入した際の位置決めの役割をし、爪１５ｂと切欠き１４ｉとの係合状態から嵌挿部材１４がブロック１２から突出しようとする際にはその動作を許容する働きをする。
なお、操作阻止手段１５として、レバー１５ａの代わりにロッドのように直線往復運動が可能な部材を設けてもよい。
【００２６】
また、ブロック１２には操作阻止解除手段１６が設けられている。操作阻止解除手段１６は、レバー１５ａの他方のアームに設けられた操作部（操作子）１６ａによって構成されている。この操作部１６ａは、ブロック１２に形成された孔１２ｂに挿入されて、その一部が外部に突出している。この操作部１６ａは、枠体１４ｂの後端に爪１５ｂが引っかかった状態でばね２０の付勢力に抗して操作すると爪１５ｂを退行させて操作阻止解除手段１６による操作部１０の操作阻止を解除させる働きをする。この操作部１６ａの部分をボタンとしたものが図８に示す扉ロック装置である。その機能は両者の扉ロック装置とも同じである。
【００２７】
さらに、ブロック１２には解除状態保持手段１７が設けられている。この解除状態保持手段１７は、第１組の係合部の係合解除状態を保持するためのものである。解除状態保持手段１８は、一端部がブロック１２に軸支持されたレバー１７ａに設けられた爪１７ｂ（第２組の係合部）と、爪１７ｂを嵌挿部材１４側に向けて付勢するばね２１とを備えている。レバー１７ａはその先端部が斜部となっている。そして、この斜部の裏側一部には厚肉部１７ｃが形成されている。この厚肉部１７ｃは、図１１（Ｃ）に示すように、レバー１７ａの先端側から後端側に向けて肉厚が小さくなるように構成されている。この解除状態保持手段１７の爪１７ｂは、嵌挿部材１４がブロック１２から突出した状態にあるときに、図９に示すように枠体１４ｂの切欠き１４ｈに引っかかる。この爪１７ｂと切欠き１４ｈとの係合は、嵌挿部材１４がブロック１２に没入する方向に動作するときにはその動作の妨げとはならない。すなわち、嵌挿部材１４がブロック１２に没入する方向に動作するときには、爪１７ｂは切欠き１４ｈの縁の直線部を倣うので、嵌挿部材１４の動作の妨げとはならない。また、爪１７ｂは、嵌挿部材１４がブロック１２に没入した状態にあるときには、図１１に示すように枠体１４ｂの切欠き１４ｇに引っかかり、嵌挿部材１４をブロック１２に没入した状態に保持する。
なお、解除状態保持手段１７として、レバー１７ａの代わりにロッドのように直線往復運動が可能な部材を設けてもよい。
【００２８】
また、ブロック１２には係合解除手段１８が設けられている。係合解除手段１８は、ブロック１２に対して出没可能なロッド１８ａを備えてなる。ロッド１８ａは、ブロック１２から突出する方向にばね（押しばね）２２によって付勢されている。ロッド１８ａの先端は図１１（Ｃ）に示すように楔状となっている。すなわち、ロッド１８ａの先端には表裏に傾斜面が形成されている。また、ロッド１８ａの先端近くには、同図に示すように、ロッド１８ａの表裏方向に動作しロッド１８ａから出没可能な突起１８ｂと、この突起１８ｂをロッド１８ａから突出する方向に付勢するばね１８ｃとを備えている。このように構成された係合解除手段１８のロッド１８ａは、扉が開放状態にあるときには、ばね２２の付勢力によって図１２に示すようにブロック１２から突出した状態にある。一方、ロッド１８ａは、開放状態の扉を閉じる場合には、扉２又はブロック１３の端部がロッド１８ａの楔状の先端部の傾斜面に当たることによってブロック１２に没入する方向に押し込まれる。ロッド１８ａがブロック１２側に押し込まれると、ロッド１８ａの突起１８ｂがレバー１７ａの先端を押す。レバー１７ｃの先端部は斜部となっているため、この時、レバー１７ａがばね２１の付勢力に抗して回転動作し、爪１７ｂが枠体１４ｂの切欠き１４ｇから離反する。これによって、解除状態保持手段１７による保持状態が解除され、嵌挿部材１４がばね２２の付勢力によってブロック１２から突出する。なお、ロッド１８ａがブロック１２に押し込まれる際に、レバー１７ａが回転動作することによって突起１８ｂが厚肉部１７ｃの位置を越えると、レバー１７ａの先端部の斜部が突起１８ｂによって押されなくなるので、レバー１７ａはばね２１の付勢力によって枠体１４ｂ側に向けて回転動作し、その際に突起１８ｂはレバー１７ａの裏側に潜り込んだ状態となる（図１１）。一方、図１１の状態から、扉が開放されると、ばね２２の付勢力によってロッド１８ａの突起１８ｂは厚肉部１７ｃの裏面を倣いロッド１８ａ内に徐々に没し、突起１８ｂが厚肉部１７ｃを乗り越えて遂にはロッド１８ａはブロック１２から突出する。
【００２９】
次に、扉ロック装置の全体的な動作を説明する。
扉が閉塞されている状態では、扉ロック装置は図９に示す状態にある。この状態から扉１，２の一方又は双方を開ける場合には、まず、操作部１６ａを操作して枠体１４ｂの後端から爪１５ｂを退行させる。この状態で、操作部１０をブロック１２内に少し押し込んで爪１４ｄを長孔１１ａから離脱させた後、図１０に示すように、操作部１０をブロック１３から離反する方向に動作させる。この時、レバー１７ａがばね２１の付勢力に抗して回転動作し、爪１７ｂが切欠き１４ｈから外れる。そして、爪１７ｂは枠体１４ｂの一壁を倣って遂には切欠き１４ｇに引っかかり、嵌挿部材１４は没入状態に保持される。また、レバー１５の爪１５ｂも切欠き１４ｉに引っかかる。この状態を図１１が示している。その後に、扉１，２の一方又は双方の扉を開放すると、ロッド１８ａの突起１８ｂは厚肉部１７ｃの裏面を倣い、ロッド１８ａは遂にはブロック１２から突出する。この状態が図１２に示されている。
なお、図１０に示すように、操作部１０をブロック１３から離反する方向に動作させる直後に、突起１４ｅがブロック１２の表壁の下側に潜り込む。これによって、それ以降、操作部１０をブロック１３から離反する方向に動作させるのに、押し込み操作を継続させる必要がなくなる。
【００３０】
一方、図１２の状態から扉１，２を閉めると、扉２又はブロック１３の端部がロッド１８ａの楔状の先端部の傾斜面（表側傾斜面又は裏側傾斜面）に当たるので、ロッド１８ａはブロック１２に没入する方向に押し込まれる。このロッド１８ａの動作に伴って、ロッド１８ａの突起１８ｂがレバー１７ａの先端部の斜部を押し、レバー１７ａの爪１７ｂが嵌挿部材１４の切欠き１４ｇから外れて解除状態保持手段１７による保持状態が解除される。これによって、嵌挿部材１４はばね１９の付勢力によってブロック１２から突出して嵌挿部材１４の先端部が進入口１３ａから箱状ケース１３に入る。そして、爪１４ｄが長孔１１ａに嵌合する。この状態が図９に示されている。
【００３１】
上記した実施の形態では、両開き式扉に使用する扉ロック装置の包装用台紙を説明したが、そもそも両開き式の扉ロック装置は片開き式扉にも使用できるので片開き式扉の包装用台紙にも適用できることは勿論である。また、片開き式扉専用の扉ロック装置にも適用できるものである。この片開き式扉の包装用台紙とする場合には、位置決め用の指標１６０は収納ボックスと扉との境界部に合致させるものとすればよい。
【００３２】
また、上記した実施の形態では、包装用台紙１００の全体が取付プレートとなっているものについて説明したが、長方形の紙が折り曲げられていてその一部を取付プレートとしたものであってもよいし、また、包装用台紙の一部を切込線で切り取って取付プレートとして用いてもよい。
【００３３】
また、プッシュオープン式のキャビネット（収納ボックス）に扉ロック装置を取り付ける際には、ブロック係合体を強く押し付けると２つのブロック同士が少し折れ曲がったり、必要以上に接近してしまい位置合わせが正確に行われない場合が生じる。そこで、このようなプッシュオープン式のキャビネットにも対応できるように、２つのブロック同士の間に入れるスペーサを別に添付してもよい。この場合のスペーサの形状は、２つのブロック同士の折れ曲がりを防止したり、２つのブロック同士の必要以上の接近を防止することができるものであれば特には限定されない。
【図面の簡単な説明】
【００３４】
【図１】図１は本発明に係る包装用台紙を適用した包装の下面図である。
【図２】図２はその包装用台紙の正面図である。
【図３】図３はその包装用台紙の平面図である。
【図４】図４は包装用台紙の背面図である。
【図５】図５は包装用台紙の右側面図である。
【図６】図６は余剰部を切り取った状態の正面図である。
【図７】図７はガイド部を立てた状態の斜視図である。
【図８】図８は立てたガイド部内に扉ロック装置を設置した状態の斜視図である。
【図９】図９は本発明に係る扉ロック装置の内部機構を示した図であり、図９（Ａ）は第１組の係合部が互いに係合した状態を示した図、図９（Ｂ）はＡ−Ａ線断面図である。
【図１０】図１０（Ａ）は第２組の係合部の互いの係合が解除された状態を示した図、図１０（Ｂ）はＢ−Ｂ線断面図である。
【図１１】図１１（Ａ）は嵌挿部材が退避状態で保持された状態を示した図、図１１（Ｂ）はＣ−Ｃ線断面図、図１１（Ｃ）はＤ−Ｄ線断面図である。
【図１２】図１２（Ａ）は扉が開かれた状態の図、図１２（Ｂ）はＥ−Ｅ線断面図、図１２（Ｃ）はＦ−Ｆ線断面図である。
【符号の説明】
【００３５】
１００  包装用台紙
１１０  枠部
１２０  折罫線
１３０  ガイド部
１４０  切込線
１５０  余剰部
１６０  指標
【図１】
2006321550.tif 000003
【図２】
2006321550.tif 000004
【図３】
2006321550.tif 000005
【図４】
2006321550.tif 000006
【図５】
2006321550.tif 000007
【図６】
2006321550.tif 000008
【図７】
2006321550.tif 000009
【図８】
2006321550.tif 000010
【図９】
2006321550.tif 000011
【図１０】
2006321550.tif 000012
【図１１】
2006321550.tif 000013
【図１２】
2006321550.tif 000014